(57)【特許請求の範囲】
【請求項１】
把持し易い外観形態となしたハンドル部の先端に、一対のマッサージ用回転体を、それぞれ各別個に回転自在なように支持させ、ハンドル部を把持してマッサージ用回転体を顔や腕などの皮膚面に当ててマッサージを行うようになした美容器具において、前記一対のマッサージ用回転体はそれぞれ独立して歳差運動可能なユニットとしてハンドル部の先端に取付けてあり、当該ユニットはマッサージ用回転体を含むと共に、このマッサージ用回転体の底面部に形成した環状凸部を回転自在に支承する第１のベアリングと、前記マッサージ用回転体における前記環状凸部の中央に突成した支軸の先端部に形成した球面部を備えてなる小回転体と、この小回転体の球面部を回転自在に支承する第２のベアリングを含んでおり、前記小回転体を歳差運動の中心として機能する軸中心となすと共に、前記環状凸部の凸部先端面には傾斜が設けられていることを特徴とする美容器具。
【発明の詳細な説明】
【技術分野】
【０００１】
本発明は美容上の効果をもたらす美容器具に関する。
【背景技術】
【０００２】
顔や腕などをローラーと称する球体でマッサージする美容法が知られており、関連する技術が下記の特許文献１に開示されている。
【０００３】
特許文献１に示される従来技術は、棒状の把持部と、半球状粒体が複数配置された円筒状のマッサージローラ部と、当該マッサージローラ部が左右の先端杆部にそれぞれ回転可能に設けられた二股杆と、把持部と二股杆との間に配置される接続部とからなり、接続部と二股杆とは固着されると共に、接続部は把持部の一端に接続角度が適宜変更可能に設けることによって、マッサージローラ部の肌への当たりを変えて美容効果を上げるようとするものである。
【先行技術文献】
【特許文献】
【０００４】
【特許文献１】特開２０１２−１０５７０１号公報
【発明の概要】
【発明が解決しようとする課題】
【０００５】
特許文献１に示される従来技術においては、マッサージローラ部は二股杆の周囲の、単一の円周上を普通に回転するだけなので、皮膚に及ぼされるマッサージローラ部の刺激は単調なものになり、美容効果が十分上がらないという課題がある。
【０００６】
本発明は前記した従来の美容器具に内在する課題を解決し、顔や腕などの皮膚面に当てる一対のマッサージ用回転体に歳差運動を起こさせて皮膚面に対する刺激を複雑且つ多様なものとなし、効率良くマッサージ効果を得ることができるようになした美容器具を提供することを目的とするものである。
【０００７】
上記目的のため、本発明に係る美容器具は下記の構成を採用する。
すなわち、請求項１に係る発明は、把持し易い外観形態となしたハンドル部の先端に、一対のマッサージ用回転体を、それぞれ各別個に回転自在なように支持させ、ハンドル部を把持してマッサージ用回転体を顔や腕などの皮膚面に当ててマッサージを行うようになした美容器具において、前記一対のマッサージ用回転体はそれぞれ独立して歳差運動可能なユニットとしてハンドル部の先端に取付けてあり、当該ユニットはマッサージ用回転体を含むと共に、このマッサージ用回転体の底面部に形成した環状凸部を回転自在に支承する第１のベアリングと、前記マッサージ用回転体における前記環状凸部の中央に突成した支軸の先端部に形成した球面部を備えてなる小回転体と、この小回転体の球面部を回転自在に支承する第２のベアリングを含んでおり、前記小回転体を歳差運動の中心として機能する軸中心となすと共に、前記環状凸部の凸部先端面には傾斜が設けられていることを特徴とする。
【０００８】
なお、前記ハンドル部は上側ケース部材及び下側ケース部材から構成され、前記ユニットは下側ケース部材の先端部に形成してある筒状部内に、マッサージ用回転体が外部に突出するように取付けてある。
【発明の効果】
【０００９】
本発明に係る美容器具によれば、マッサージ用回転体は、顔や腕などの皮膚面に対し、歳差運動に基づく波動状の刺激が加えられるので、皮膚に対する刺激が複雑且つ多様なものとなり、美顔の効果をこれまで以上に向上させることができる。
【００１０】
すなわち、歳差運動は、首振り運動やすりこぎ運動とも称され、回転している物体の回転軸が円を描くように振れる現象であり、顔や腕などの皮膚面に当接させる一対のマッサージ用回転体の回転軸を自動的に振れさせて皮膚面を揉み上げたり、逆に押し広げたり、従来にない刺激を皮膚面に連続して与えることができ効率良くマッサージ効果を得ることができるものである。
【図面の簡単な説明】
【００１１】
【図１】本発明に係る美容器具の一実施形態を示す全体斜視図である。
【図２】本発明に係る美容器具の主要部をなすマッサージ用回転体周辺部の詳細を示す説明図である。
【図３】本発明に係る美容器具を構成する主要なパーツの分解斜視図である。
【図４】本発明に係る美容器具の一つの使用例を示す説明図である。
【図５】本発明に係る美容器具の動作を説明する模式図である。
【図６】本発明に係る美容器具の他の実施形態を示す外観図である。
【発明を実施するための形態】
【００１２】
本発明に係る美容器具は、マッサージ用回転体を用い当該回転体のローラー動作によって顔や腕などをマッサージする美容器具において、マッサージ用回転体を歳差運動で回転させ、マッサージ効果の向上を図るようにしたものである。
【００１３】
以下、本発明に係る美容器具の具体的構成を図示の実施形態に基づき詳細に説明するが、以下に示す実施形態は、本発明の技術思想を具体化するための美容器具の一例を示すものであって、本発明は以下の説明及び図示したものに限定されないのは云うまでもない。
特に、実施の形態に示されている構成要素の形状、相対的位置関係などは、特定的な記載がなされていない限り、本発明の範囲をそれのみに限定する趣旨ではなく、単なる説明例に過ぎない。また、各図が示す部材の大きさや位置関係などは説明を明確にするために誇張していることがある。
【００１４】
図中１は本発明美容器具の全体を示すもので、当該美容器具１は上側ケース部材１１と下側ケース部材１２とからなるハンドル部１０と、当該ハンドル部１０を構成する下側ケース部材１２の先端部下方に向けて取付けられた一対のマッサージ用回転体１３（左），１４（右）とから構成されている。マッサージ用回転体１３，１４は、それぞれ独立して歳差運動が可能なユニットＵとしてハンドル部１０の先端に取付けてある。使用者はハンドル部１０を把持してマッサージ用回転体１３，１４を顔や腕などの皮膚面に当ててマッサージを行う。
【００１５】
前記したように、ハンドル部１０は上側ケース部材１１と下側ケース部材１２とから構成されており、両部材１１，１２の組み付けに際しては、特に図示しないが、防水パッキンを両者の嵌合部に介在させ両部材１１，１２を圧嵌することによりハンドル部１０内に水が入らないような防水構造となっている。
なお、下側ケース部材１２の先端部には図３（ａ）に示すように、少しの間隔を置いて下向きに一対の筒状部Ｃ，Ｃを形成してある。
【００１６】
ハンドル部１０を構成する下側ケース部材１２の先端部に形成した一対の筒状部Ｃ，Ｃ内には、それぞれ独立して歳差運動が可能なマッサージ用回転体１３，１４が一対のユニットＵとして取付けてある。左右一対のユニットＵはマッサージ用回転体１３，１４が歳差運動を行うための後述する複数のパーツから構成されている。
【００１７】
マッサージ用回転体１３，１４は顔や腕などの肌に直接触れるローラー体であり、肌面とローラー体との間の摩擦力がローラーの接線方向へ回転する力に転換され、左右のマッサージ用回転体１３，１４に挟まれた肌を互いに異なる回転方向に回転するローラーにより、摘み上げたり、押し広げたりする機能を有している。
【００１８】
次に、図２に基づき美容器具１の一対のユニットＵ、すなわちマッサージ回転体１３および１４の周辺の構造を説明する。図２（ａ）は美容器具１の一方のユニットＵ、すなわち右側のマッサージ用回転体１４の周辺の構造を示す断面図であり、図２（ｂ）はマッサージ用回転体１４の形状を詳細に示すための説明図である。なお、以下の説明では、例として右側のマッサージ用回転体１４について述べるが、左側のマッサージ用回転体１３についても同様構造である。
【００１９】
図２（ａ）に示すように、ユニットＵはマッサージ用回転体１４を含むと共に、このマッサージ用回転体１４の底面部１４Ｂに形成した環状凸部１４Ｔを回転自在に支承する第１のベアリング１４３と、前記マッサージ用回転体１４における前記環状凸部１４Ｔのほぼ中央に突成した支軸１４Ｊの先端部ＪＴに固定した球面部Ｒを具備してなる小回転体１４２と、この小回転体１４２の球面部Ｒを回転自在に支承する第２のベアリング１４４を含んでいる。
【００２０】
前記第１のベアリング１４３は、マッサージ用回転体１４の歳差運動を支える一方のベアリングであって、マッサージ用回転体１４の端面、すなわち環状凸部１４Ｔの先端面Ｓを、その外輪部で受け、マッサージ用回転体１４が自重でも回転できるように円滑な回転機構を構成していると共に、マッサージ用回転体１４が図２（ａ）に示すＤの範囲でスライドできる構造になっている。なお、後述するように、環状凸部１４Ｔの先端面Ｓは全周に亘り同一高さとはなっておらず、傾斜が設けられていてマッサージ用回転体１４に歳差運動を起こさせる。
【００２１】
小回転体１４２は、前記したように、支軸１４Ｊの先端部ＪＴにネジ止めで固定されており、マッサージ用回転体１４の歳差運動の回転中心となる球面部Ｒを形成してある。
【００２２】
第２のベアリング１４４は、マッサージ用回転体１４の歳差運動を支える他方のベアリングであって、前記小回転体１４２の球面部Ｒを、その内輪部で受け、歳差運動をするマッサージ用回転体１４を前記第１のベアリング１４３と共に支持する働きを持っている。
【００２３】
なお、ユニットＵには、前記第１のベアリング１４３の内輪部を保持すると共に、第２のベアリング１４４の外輪部を保持し、且つハンドル部１０の前記下側ケース部材１２の先端部ＫＴの筒状部Ｃ内に圧入し、下側ケース部材１２との間で防水構造の一部を形成するための押さえリング１４５が組み込まれている。
【００２４】
その他、図中の１４６は外周部に雄ネジ部を形成してなるキャップ部材であり、当該キャップ部材１４６の雄ネジ部を、前記押さえリング１４５の内周部に形成した雌ネジ部に螺着することにより第２のベアリング１４４の外輪部が固定され、且つ小回転体１４２の周辺に入った水がハンドル部１０内に浸入するのを防止する構造となっている。
【００２５】
また、図中の１４７はユニットＵを下側ケース部材１２の前記筒状部Ｃ内に堅固な状態で固定する止めリングである。すなわち、この止めリング１４７はマッサージ用回転体１４、第１のベアリング１４３、押さえリング１４５、第２のベアリング１４４、小回転体１４２、キャップ部材１４６がネジ止めによって固定されたアセンブリーを下側ケース部材１２の筒状部Ｃ内に固定すると共に、防水構造の一部を形成しているものである。
なお、前記実施形態においては、小回転体１４２を独立した部品として構成しているが、マッサージ用回転体１４の支軸１４Ｊの先端部外周に球面部Ｒを備えた小回転体１４２を一体的に形成するようにしてもよいのは勿論である。
【００２６】
上記構成において、マッサージ用回転体１４の環状凸部１４Ｔは、マッサージ用回転体１４の底面部１４Ｂにリング状に形成された矩形の断面を有する凸部であり、図２（ｂ）に示すように環状凸部１４Ｔの先端は凸部先端面Ｓを形成しており、図２（ａ）に示すように第１のベアリング１４３の外輪部と環状凸部１４Ｔの凸部先端面Ｓとが当接しながら回転することによりマッサージ用回転体１４の歳差運動を可能とする。
【００２７】
図２（ａ）において、支軸１４Ｊは、マッサージ用回転体１４のほぼ中心に形成された回転の軸であり、図示の実施形態では小回転体１４２とネジ止めにより一体化され、小回転体１４２の球面部Ｒの中心を回転の中心として回転する。
なお、ユニットＵは前記したように下側ケース１２の先端部ＫＴの内部に形成された筒状部Ｃ内に収納固定される。
【００２８】
次に、図２（ｂ）を用いて、マッサージ用回転体１４の環状凸部１４Ｔの形状を詳述する。図２（ｂ）はマッサージ用回転体１４の形状を詳細に示すための説明図である。なお、以下の説明では、例として環状凸部１４Ｔについて述べるが左側のマッサージ用回転体１３における環状凸部１３Ｔについても同様である。
【００２９】
図２（ｂ）に示すように、マッサージ用回転体１４の環状凸部１４Ｔは、底面部１４Ｂ上に凸部先端面Ｓが傾斜して形成されており、環状凸部１４Ｔの凸部先端面Ｓを通る面の端面線Ｈとマッサージ用回転体１４の支軸１４Ｊの中心線Ｌとがなす角度θは、僅かながら鋭角となっている。すなわち、図２（ｂ）に示すように、環状凸部１４Ｔの左側が右側より若干高くなるように形成されており、この角度θによってマッサージ用回転体１４の回転が環状凸部１４Ｔから第１のベアリング１４３の外輪部に伝わり、マッサージ用回転体１４に対して図２（ａ）に示したＤの範囲で揺動し、歳差運動を生じさせる。
【００３０】
次に、図３に基づいて本発明に係る美容器具１におけるユニットＵの組み立て方を説明する。図３（ａ）はユニットＵの分解斜視図、図３（ｂ）はマッサージ用回転体１４の歳差運動を可能とする要素である小回転体１４２の外観図である。
【００３１】
先ず、押さえリング１４５の所定箇所に、第１のベアリング１４３と第２のベアリング１４４とを、それぞれ内輪部と外輪部とが当接するように嵌入する。
【００３２】
次に、マッサージ用回転体１４の支軸１４Ｊを、第１のベアリング１４３と第２のベアリング１４４とを装着した押さえリング１４５の中に挿入する。
その後、マッサージ用回転体１４の支軸１４Ｊの先端部ＪＴに、小回転体１４２をネジ止めにより固定する。
【００３３】
なお、図３（ｂ）に示すように、小回転体１４２は、第２のベアリング１４４の内輪部と接しながら歳差運動を行うための球面部Ｒを端部に備えている。
さらに、一体化されたマッサージ用回転体１４、第１のベアリング１４３、押さえリング１４５、第２のベアリング１４４とキャップ部材１４６とを、下側ケース部材１２の先端部ＫＴに形成してある筒状部Ｃ内に圧入し、止めリング１４７のネジ部を締め付けることによりユニットＵが完成する。なお、筒状部Ｃ内には押さえリング１４５をきつく収納し得る段部を形成してあるのは云うまでもない。
このようにして下側ケース部材１２の筒状部Ｃ内にユニットＵを取付けた後、上側ケース部材１１を下側ケース部材１２に組み付けて本発明に係る美容器具１が完成する。
【００３４】
次に、図４および図５を用いて本発明に係る美容器具１の動作につきを説明する。
図４は美容器具１の使用例を示す説明図で、図５（ａ）〜（ｄ）は、図４のＶ視方向におけるマッサージ用回転体１４の動作を示す断面の模式図である。
【００３５】
図４において、使用者は、美容器具１のハンドル部１０を手（図示せず）で握り持って、マッサージ用回転体１３および１４を顔Ｆに当てて矢印Ｍのように動かしてマッサージを行う。
【００３６】
図５（ａ）に示すように、使用者がマッサージ用回転体１４を顔Ｆにやや強く当てる。このとき支軸１４Ｊの中心線Ｌと凸部先端面Ｓの端面線Ｈとがなす角度θ１を一例としてほぼ９０度として説明する。
マッサージ用回転体１４を顔Ｆに沿って動かし図５（ｂ）に示すようにマッサージ用回転体１４が１／４回転して、支軸１４Ｊの垂直線Ｌに対して角度θで傾斜している環状凸部１４Ｔの凸部先端面Ｓが、第１のベアリング１４３の外輪部に沿って回転するので、マッサージ用回転体１４は、図５（ｂ）に示す矢印のようにＤ／２移動する。すると、顔Ｆに対するマッサージ用回転体１４の当接は弱いものとなる。なお、Ｄは図２（ａ）に示すマッサージ用回転体１４が歳差運動によってスライド移動する範囲である。
【００３７】
さらにマッサージ用回転体１４を顔Ｆに沿って動かし、図５（ｃ）に示すようにマッサージ用回転体１４がさらに１／４回転して、垂直線Ｌに対して環状凸部１４Ｔの凸部先端面Ｓの角度が角度θ１になると、環状凸部１４Ｔは第１のベアリング１４３の外輪部に沿って回転するので、マッサージ用回転体１４は図５（ａ）に示す位置に戻り、顔Ｆに対するマッサージ用回転体１４の当接力は図５（ｂ）の場合よりやや強くなる。
【００３８】
さらにマッサージ用回転体１４を顔Ｆに沿って動かし、図５（ｄ）に示すようにマッサージ用回転体１４がさらに１／４回転して、垂直線Ｌに対して環状凸部１４Ｔの凸部先端面Ｓの角度が角度θになると、環状凸部１４Ｔは第１のベアリング１４３の外輪部に沿って回転するので、マッサージ用回転体１４は顔Ｆの皮膚面に対し最も強く当接する。
【００３９】
すなわち、使用者がハンドル部１０を把持して、これを動かし顔Ｆをマッサージすると、マッサージ用回転体１３，１４が回転し、これによってマッサージ用回転体１３，１４はそれぞれ１／４回転毎に、図２（ａ）に示すＤのような範囲で揺動し、歳差運動を生じる。従って、一対のマッサージ用回転体１３，１４の複雑な回転動作により、顔や腕などの皮膚が揉み上げられたり、押し広げられたりして複雑且つ多様な刺激が伝わり、美顔の効果をこれまで以上に向上させることができるものである。
【００４０】
なお、マッサージ用回転体１３，１４を構成する高分子材料中にコンパウンドとしてトルマリンやセラミックあるいは金属シリコンなど、顔や腕などの皮膚面を活性化させる作用があるとされている自然の鉱物や鉱石などを含ませることも可能である。
また、図６（ａ）および（ｂ）に示す実施形態のように、上側ケース部材１１ｍと下側ケース１２ｍとからなるハンドル部１０ｍに開口部１５を形成した美容器具２となすと使用に際し当該開口部１５を利用してハンドル部１０ｍを握ることができるのでマッサージを行う上で頗る便利である。
美容器具２の他の構造、作用などについては前記した実施形態における美容器具１と同じであるから説明は省略する。
【００４１】
以上のように、本発明によればマッサージ効果が高まり、極めて有用な美容器具が実現する。
【符号の説明】
【００４２】
１、２：美容器具
１０、１０ｍ：ハンドル部
１１、１１ｍ：上側ケース部材
１２、１２ｍ：下側ケース部材
１３：マッサージ用回転体（左）
１４：マッサージ用回転体（右）
１４Ｂ：底面部
１４Ｔ：環状凸部
１４Ｊ：支軸
１４２：小回転体
１４３：第１のベアリング
１４４：第２のベアリング
１４５：押さえリング
１４６：キャップ部材
１４７：止めリング
１５：開口部
Ｕ：ユニット
ＫＴ：先端部
Ｃ：筒状部
Ｓ：凸部先端面
ＪＴ：支軸の先端部
Ｒ：球面部
Ｌ：中心線
Ｈ：端面線
【要約】
【課題】顔や腕などの皮膚面に当てる一対のマッサージ用回転体に歳差運動を起こさせて皮膚面に対する刺激を複雑且つ多様なものとなし、効率良くマッサージ効果を得ることができるようになした美容器具を提供する
【解決手段】把持し易い外観形態となしたハンドル部１０の先端に、一対のマッサージ用回転体１３，１４を、それぞれ各別個に回転自在なように支持させ、ハンドル部１０を把持してマッサージ用回転体１３，１４を顔や腕などの皮膚面に当ててマッサージを行うようになした美容器具１であって、前記一対のマッサージ用回転体１３，１４はそれぞれ独立して歳差運動が可能なユニットＵとしてハンドル部１０の先端に取付けた。
【選択図】図２【図１】
0005766375.tif 000002
【図２】
0005766375.tif 000003
【図３】
0005766375.tif 000004
【図４】
0005766375.tif 000005
【図５】
0005766375.tif 000006
【図６】
0005766375.tif 000007